(57)【要約】【課題】  浴槽壁に対する固定部材の固定の緩みを抑えることができる浴槽手すりを提供する。【解決手段】  浴槽手すり１０は、浴槽上縁部に取り付け固定される固定部材１１と、把手部材１２とを有している。固定部材１１は、浴槽壁面に当接される当接板２０と、該当接板２０とともに浴槽壁を挟持する押圧板２２と、該押圧板２２を該当接板２０に対して進退させるボルト杆と、該ボルト杆を操作するハンドル２６とを備えている。そして、ハンドル２６には、該ハンドル２６の回転を抑制するための緩み止め部材３１が付装されている。【選択図】      図１
2007097989.tif 000002
【特許請求の範囲】
【請求項１】
浴槽上縁部に取り付け固定される固定部材と、該固定部材に支持された把手部材とを備えている浴槽手すりであって、
該固定部材は、浴槽壁面に当接される当接板と、該当接板と並設された押圧板と、該押圧板に取り付けたボルト杆と、該ボルト杆を支持する支持部と、該ボルト杆と螺着された操作部材とを有しており、該操作部材の回転による該ボルト杆の移動に伴って該押圧板を該当接板に対して前進させることにより、該当接板と該押圧板とで浴槽壁を挟持するように構成されたものであるとともに、
該操作部材又は該ボルト杆には、該当接板と該押圧板とで該浴槽壁を挟持した状態で、該操作部材の回転又は該ボルト杆の移動を抑制する緩み止め部材が付装されていることを特徴とする浴槽手すり。
【請求項２】
該緩み止め部材は、該操作部材又は該ボルト杆に螺嵌されている請求項１に記載の浴槽手すり。
【発明の詳細な説明】
【技術分野】
【０００１】
本発明は、浴槽壁に取り付けられるものであり、高齢者、障害者等といった使用者が浴槽へ出入りする際に体を支えるための浴槽手すりに関するものである。
【背景技術】
【０００２】
従来、特許文献１〜３に記載されたように、浴槽手すりは、断面コ字状をなす固定部材（各特許文献には「コの字枠」、「跨設部材」、「浴槽取付部」と記載）と、該固定部材に支持された把手部材（各特許文献には「把手」、「大グリップ及び小グリップ」、「手すり」と記載）とを有している。該固定部材を浴槽壁に固定する構成について、例えば特許文献１では、ハンドル、ボルト杵及び挟持板が設けられている。該ハンドルは、ボルト杵に螺着されており、また該ボルト杵は該挟持板に取り付けられている。そして、ハンドルを締め付けて挟持板を浴槽壁に圧接させることにより、固定部材が浴槽壁に固定されるように構成されている。また、特許文献２及び特許文献３についても、該固定部材を浴槽壁に固定する構成は、略同様となっている。
【０００３】
【特許文献１】特開２００３−１２５９６４号公報
【特許文献２】特開２００４−２６１３２７号公報
【特許文献３】特開２００２−２０９７８１号公報
【発明の開示】
【発明が解決しようとする課題】
【０００４】
しかしながら、上記従来の浴槽手すりにおいては、浴槽壁に対する固定部材の固定が緩むおそれがあり、把手部材を握るとき等に浴槽手すりがぐらつく可能性があった。
本発明は、このような従来技術に存在する問題点に着目してなされたものである。その目的とするところは、固定部材の固定の緩みを抑えることができる浴槽手すりを提供することにある。
【課題を解決するための手段】
【０００５】
上記の目的を達成するために、請求項１に記載の浴槽手すりの発明は、浴槽上縁部に取り付け固定される固定部材と、該固定部材に支持された把手部材とを備えている浴槽手すりであって、該固定部材は、浴槽壁面に当接される当接板と、該当接板と並設された押圧板と、該押圧板に取り付けたボルト杆と、該ボルト杆を支持する支持部と、該ボルト杆と螺着された操作部材とを有しており、該操作部材の回転による該ボルト杆の移動に伴って該押圧板を該当接板に対して前進させることにより、該当接板と該押圧板とで浴槽壁を挟持するように構成されたものであるとともに、該操作部材又は該ボルト杆には、該当接板と該押圧板とで該浴槽壁を挟持した状態で、該操作部材の回転又は該ボルト杆の移動を抑制する緩み止め部材が付装されていることを要旨とする。この構成によれば、緩み止め部材によって操作部材の回転又は該ボルト杆の移動が抑制されることにより、当接板に対して押圧板が後退しづらくなる。その結果、浴槽壁に対する固定部材の固定の緩みを抑えることができる。
【０００６】
請求項２に記載の浴槽手すりの発明は、請求項１に記載の発明において、該緩み止め部材は、該操作部材又は該ボルト杆に螺嵌されていることを要旨とする。この構成によれば、操作部材又はボルト杆に対して緩み止め部材を回転させて支持部に接近させることにより、該支持部に緩み止め部材を圧接させることができる。その結果、支持部と緩み止め部材との間に生じる摩擦力により、該操作部材の回転又は該ボルト杆の移動を抑制することができる。
【発明の効果】
【０００７】
本発明によれば、浴槽壁に対する固定部材の固定の緩みを抑えることができる。
【発明を実施するための最良の形態】
【０００８】
以下、本発明の浴槽手すりを具体化した実施形態を図面に基づいて説明する。
図１は、実施形態の浴槽手すりを示す斜視図である。図２は、該浴槽手すりを浴槽の内側から見た状態を示す正面図である。図３は、該浴槽手すりを示す一部を破断した側面図である。該浴槽手すり１０は，浴槽（図示略）の上縁部に取り付け固定される固定部材１１と、該固定部材１１に支持された把手部材１２とを有している。さらに、固定部材１１には、半円弧形状をなす補助把手１３が取り付けられている。この補助把手１３は、浴槽内から立ち上がる等のような浴槽内における使用者の行動を補助するためのものである。
【０００９】
固定部材１１は、断面横Ｌ字状をなす第１挟持体１５及び第２挟持体１６の上部を連結板１７によって相互に連結することにより、側面視でコの字状に形成されている（図１及び図３を参照）。なお、該固定部材１１において、第１挟持体１５は浴槽の外側に配置されており、第２挟持体１６は浴槽の内側に配置されている。これら第１挟持体１５及び第２挟持体１６は、連結板１７に対する連結位置を変更することにより、浴槽壁の厚みに合わせて互いの間隔を変更することができるようになっている。また、連結板１７は、カバー部材１７ａによって外部から覆われており、該連結板１７の側縁、角部、あるいは第１挟持体１５及び第２挟持体１６を連結するボルト等のような凹凸（いうなれば、使用者に取っての障害）を外部に露出させないように構成されている。
【００１０】
第１挟持体１５において、その側部は、浴槽手すり１０を浴槽に取り付けた状態で浴槽壁の外面に当接される当接板２０となっている。図３に示すように、該当接板２０の内面には、浴槽壁の表面を傷つけないようにするべく、ゴム、エラストマー等の弾性材料から形成されたクッション材２１が貼着されている。固定部材１１の内側には、押圧板２２が該当接板２０に対して並設されている。そして、該押圧板２２には、締付部材を構成するボルト杆２３が取付けられている。
【００１１】
第２挟持体１６において、その側部には、支持孔２４が透設されている。この支持孔２４には、ボルト座２５が挿着されている。該ボルト座２５は、円筒状に形成されており、その一端部側が固定部材１１の内側から外側に向かうように、支持孔２４に挿通されるとともに、他端部側には鍔部２５ａが設けられているため、該鍔部２５ａによって支持孔２４からの抜け出しを防止されている。さらに、該ボルト座２５の内周面には雌ねじが螺刻されている。これら支持孔２４及びボルト座２５は、ボルト杆２３を支持するための支持部を構成しており、該ボルト杆２３は、その一端部が該ボルト座２５に螺合されることによって、第２挟持体１６に支持されている。
【００１２】
該ボルト座２５の一端部において、外周面上には操作部材としてのハンドル２６が固定装着されており、該ボルト座２５は、該ハンドル２６とともに連れ回りするように構成されている。該ハンドル２６を回転させた場合、その回転方向に応じ、ボルト杆２３は、ボルト座２５に対して螺入又は螺退されて移動するようになっている。そして、該ハンドル２６の回転に伴い、ボルト杆２３がハンドル２６の内部から押し出されるように移動した場合、押圧板２２が当接板２０に対して前進することにより、該当接板２０と該押圧板２１との間に浴槽壁が挟持され、固定部材１１が浴槽上縁部に取り付け固定される。なお、浴槽壁の内面に圧接されることとなる押圧板２２の内面には、浴槽壁の表面を傷つけないようにするべく、前記当接板２０と同様のクッション材２１が貼着されている。一方、該ハンドル２６の回転に伴い、ボルト杆２３がハンドル２６の内部へ引き込まれるように移動した場合、押圧板２２が当接板２０に対して後退することにより、浴槽上縁部における固定部材１１の固定が緩む。
【００１３】
把手部材１２は、固定部材１１に立設された支柱２７と、該支柱２７の先端部において、浴槽の内側へ向かって延出された浴内用把手２８及び浴槽の外側へ向かって延出された浴外用把手２９とを備えている。該支柱２７は、一対が設けられており、それぞれが当接板２０の外面両側部に配置されている。このように支柱２７は当接板２０の外面に配置されることにより、該支柱２７の基端部は、図３中に一点鎖線で指示する浴槽壁の外面Ａよりも浴槽の外側に配置されている。その結果、浴槽に蓋をする際、該支柱２７が該蓋の邪魔となることが抑制されている。
【００１４】
該支柱２７には、複数の貫通孔２７ａが設けられており、該貫通孔２７ａにピン、ボルト等の挿通部材を挿通し、さらに該挿通部材を当接板２０に設けられた孔（図示略）へ挿入することにより、該支柱２７は固定部材１１に立設されている。そして、挿通部材を挿通する貫通孔２７ａを適宜変更することにより、固定部材１１に対する把手部材１２の高さ調整を行うことができ、使用者の使い勝手の向上が図られている。さらに、当接板２０の外面はカバー蓋２０ａによって覆われており、支柱２７の基端部は、挿通部材とともにカバー蓋２０ａ内に収容されている。つまり、支柱２７の基端部、挿通部材等をカバー蓋２０ａで覆うことにより、当該浴槽手すり１０は、凹凸（いうなれば、使用者に取っての障害）を外部に露出させないように構成されている。
【００１５】
浴内用把手２８は、Ｕ字状に形成されており、一対の支柱２７の先端部（各図中で上端部）を繋ぐように設けられている。浴外用把手２９もまた、浴内用把手２８と同様に、Ｕ字状に形成されている。そして、浴内用把手２８の支柱側となる端部と、浴外用把手２９の支柱側となる端部とは繋がっており、浴内用把手２８及び浴外用把手２９は、互いの端部を繋げた形状が環状とされている。さらに、補助把手１３、浴内用把手２８及び浴外用把手２９には、使用者が握ったときに滑ることを防止するため、保護カバー３０が巻着されている。該保護カバー３０の材料は、例えばＳＥＢＳ（スチレン−エチレン−ブチレン−スチレンブロック共重合体）やＳＥＰＳ（スチレン−エチレン−プロピレン−スチレンブロック共重合体）等のエラストマーである。また本実施形態では、該保護カバー３０の色は、白内障の者でも容易に見分けることが出来るように、例えば赤色等の長波長の色を使用している。
【００１６】
前記ハンドル２６において、その他端部外周面上には、緩み止め部材３１が付装されている。この緩み止め部材３１は、円環状に形成されるとともに、その内周面には、雌ねじが螺刻されている。一方、ハンドル２６の他端部外周面には、雄ねじが螺刻されており、該緩み止め部材３１は、該操作部材であるハンドル２６の他端部に螺嵌されている。該緩み止め部材３１を該ハンドル２６に対して所定方向に回転させた場合、該緩み止め部材３１は、ハンドル２６に対して移動し、第２挟持体１６へ接近するとともに、該第２挟持体１６の外面において、支持部を構成する支持孔２４の周縁に圧接されるようになっている。
【００１７】
さて、当該浴槽手すり１０において、固定部材１１を浴槽壁に固定する場合、予め当接板２０に対して押圧板２２を所定間隔だけ離間させた状態としておき、これら当接板２０と押圧板２２との間に浴槽壁を位置させる。次いで、ハンドル２６を回転させ、押圧板２２を浴槽壁に圧接させ、当接板２０と押圧板２２との間で浴槽壁を挟持する。そして、当接板２０と押圧板２２とで浴槽壁を挟持した状態を保持しつつ、該緩み止め部材３１を所定方向に回転させ、該緩み止め部材３１を該第２挟持体１６の外面に圧接させる。すると、緩み止め部材３１と第２挟持体１６の外面との間に摩擦力が生じ、緩み止め部材３１の回転が規制され、該緩み止め部材３１の回転規制に伴い、緩み止め部材３１と螺合されたハンドル２６の回転が抑制される。このようにハンドル２６の回転が抑制された場合、該ハンドル２６が固定されたボルト座２５の回転もまた抑制され、さらにボルト杆２３の移動が抑制される。その結果、振動、外力等がボルト杆２３、ボルト座２５、ハンドル２６に伝達されたとしても、それぞれの回転又は移動が抑制されるため、浴槽壁に対する固定部材１１の固定の緩みが抑えられる。
【００１８】
なお、上記実施形態において、操作部材は、必ずしも各図に示した形状のハンドル２６とする必要はなく、棒状、円板状等としてもよい。さらに、そのような棒状、円板状等の操作部材とする場合、ボルト座２５を介することなく、該操作部材をボルト杆２３に取り付けてもよい。また、緩み止め部材３１は、必ずしもハンドル２６と螺合する必要はなく、例えば固定部材１１の内側においてボルト杆２３に螺合してもよい。また、緩み止め部材３１は、ボルト杆２３、ボルト座２５、ハンドル２６のうち少なくとも何れか１つの回転又は移動を抑制可能であれば、必ずしも実施形態のものを構成することに限らず、例えばハンドル２６と第２挟持体１６の外面との間に圧入する楔（くさび）、ゴム部材等によって構成してもよい。
【図面の簡単な説明】
【００１９】
【図１】実施形態の浴槽手すりを示す斜視図。
【図２】実施形態の浴槽手すりを示す正面図。
【図３】実施形態の浴槽手すりを示す一部を破断した側面図。
【符号の説明】
【００２０】
１０…浴槽手すり、１１…固定部材、１２…把持部材、２０…当接板、２２…押圧板、２３…ボルト杵、２４…支持部を構成する支持孔、２５…支持部を構成するボルト座、２６…操作部材を構成するハンドル、３１…緩み止め部材。
【図１】
2007097989.tif 000003
【図２】
2007097989.tif 000004
【図３】
2007097989.tif 000005